(57)【要約】  本発明は、少なくとも１つのクラッチ部品（１；３１）を備え、クラッチ部品（１；３１）は、摩擦面（１０；４０）を有する少なくとも１つの摩擦フェーシング（３；３３）を有しており、摩擦面（１０；４０）は、摩擦クラッチの閉鎖時、相手側クラッチ部品に摩擦結合され、摩擦フェーシング（３；３３）および／または摩擦フェーシング（３；３３）の支持体要素（６）は、周方向で波形に波の谷（２０）と波の山（１８，１９）とを有して構成されており、摩擦フェーシング（３；３３）は、摩擦クラッチの開放時、摩擦面（１０；４０）全体ではなく、波の山（１８，１９）の高点（１５〜１７）の領域で略点状にのみ、相手側クラッチ部品と接触する、摩擦クラッチに関する。本発明は、摩擦フェーシング（３；３３）が、波の山（１８，１９）の高点（１５〜１７）の領域に局所的に、波の山（１８，１９）の高点（１５〜１７）の周囲の摩擦面（１０；４０）と比較して減じられた摩擦係数を有することを特徴とする。
2018536813.tif 000002
【特許請求の範囲】
【請求項１】
摩擦クラッチであって、
少なくとも１つのクラッチ部品（１；３１）を備え、該クラッチ部品（１；３１）は、摩擦面（１０；４０）を有する少なくとも１つの摩擦フェーシング（３；３３）を有しており、前記摩擦面（１０；４０）は、前記摩擦クラッチの閉鎖時、相手側クラッチ部品に摩擦結合され、前記摩擦フェーシング（３；３３）および／または前記摩擦フェーシング（３；３３）の支持体要素（６）は、周方向で波形に波の谷（２０）と波の山（１８，１９）とを有して構成されており、前記摩擦フェーシング（３；３３）は、前記摩擦クラッチの開放時、前記摩擦面（１０；４０）全体ではなく、前記波の山（１８，１９）の高点（１５〜１７）の領域で略点状にのみ、前記相手側クラッチ部品と接触する、摩擦クラッチにおいて、
前記摩擦フェーシング（３；３３）は、前記波の山（１８，１９）の前記高点（１５〜１７）の領域に局所的に、前記波の山（１８，１９）の前記高点（１５〜１７）の周囲の前記摩擦面（１０；４０）と比較して減じられた摩擦係数を有することを特徴とする、摩擦クラッチ。
【請求項２】
前記摩擦フェーシング（３；３３）は、前記波の山（１８，１９）の前記高点（１５〜１７）の領域で外側半径を小さくすることで、前記波の山（１８，１９）の前記高点（１５〜１７）の領域における摩擦を減じることを特徴とする、請求項１記載の摩擦クラッチ。
【請求項３】
前記摩擦フェーシング（３；３３）は、前記波の山（１８，１９）の前記高点（１５〜１７）の領域で内側半径を大きくすることで、前記波の山（１８，１９）の前記高点（１５〜１７）の領域における摩擦を減じることを特徴とする、請求項１または２記載の摩擦クラッチ。
【請求項４】
前記摩擦フェーシング（３；３３）は、前記波の山（１８，１９）の前記高点（１５〜１７）の領域に設けられる溝を多くすることで、前記波の山（１８，１９）の前記高点（１５〜１７）の領域における摩擦を減じることを特徴とする、請求項１から３までのいずれか１項記載の摩擦クラッチ。
【請求項５】
前記摩擦フェーシング（３；３３）は、前記波の山（１８，１９）の前記高点（１５〜１７）の領域に設けられる溝を大きくすることで、前記波の山（１８，１９）の前記高点（１５〜１７）の領域における摩擦を減じることを特徴とする、請求項１から４までのいずれか１項記載の摩擦クラッチ。
【請求項６】
前記摩擦フェーシング（３３）は、前記波の山（１８，１９）の前記高点（１５〜１７）の領域にそれぞれ少なくとも１つのくびれ部（３５）を有することで、前記波の山（１８，１９）の前記高点（１５〜１７）の領域における摩擦を減じることを特徴とする、請求項１から５までのいずれか１項記載の摩擦クラッチ。
【請求項７】
前記摩擦フェーシング（３）は、複数の摩擦フェーシング片（１１〜１３，２１〜２３）から形成されており、前記波の山（１８，１９）の前記高点（１５〜１７）の領域に配置される前記摩擦フェーシング片を少なくすることで、前記波の山（１８，１９）の前記高点（１５〜１７）の領域における摩擦を減じることを特徴とする、請求項１から６までのいずれか１項記載の摩擦クラッチ。
【請求項８】
前記摩擦フェーシング（３；３３）は、複数の摩擦フェーシング片（１１〜１３；２１〜２３）から形成されており、前記波の山（１８，１９）の前記高点（１５〜１７）の領域に配置される前記摩擦フェーシング片（１７，２１，２３）を小さくすることで、前記波の山（１８，１９）の前記高点（１５〜１７）の領域における摩擦を減じることを特徴とする、請求項１から７までのいずれか１項記載の摩擦クラッチ。
【請求項９】
前記摩擦面（１０；４０）は、略円環ディスクの形状を呈し、前記摩擦フェーシング（３；３３）、または前記摩擦面（１０；４０）を形成する前記摩擦フェーシング片（１１〜１３，２１〜２３）は、波打った支持体金属薄板に取り付けられていることを特徴とする、請求項１から８までのいずれか１項記載の摩擦クラッチ。
【請求項１０】
請求項１から９までのいずれか１項記載の摩擦クラッチ用のクラッチ部品（１）、摩擦フェーシング（３，３３）および／または摩擦フェーシング片（１１〜１３，２１〜２３）。
【発明の詳細な説明】
【技術分野】
【０００１】
本発明は、摩擦クラッチであって、少なくとも１つのクラッチ部品を備え、クラッチ部品は、摩擦面を有する少なくとも１つの摩擦フェーシングを有しており、摩擦面は、摩擦クラッチの閉鎖時、相手側クラッチ部品に摩擦結合され、摩擦フェーシングおよび／または摩擦フェーシングの支持体要素は、周方向で波形に波の谷と波の山とを有して構成されており、摩擦フェーシングは、摩擦クラッチの開放時、摩擦面全体ではなく、波の山の高点の領域で略点状にのみ、相手側クラッチ部品と接触する、摩擦クラッチに関する。
【背景技術】
【０００２】
独国特許出願公開第１０２００８０３２４５８号明細書において、湿式クラッチであって、互いに摩擦接触可能な少なくとも２つの摩擦面を備え、少なくとも１つの摩擦面が、支持体部分に被着されるリング形の摩擦フェーシングの表面により形成されており、摩擦フェーシングは、内周および外周ならびに所定の厚さを有し、略平坦な摩擦面と、所定の気孔率とを有し、摩擦フェーシングは、摩擦フェーシングの厚さ全体にわたって延在する、表面積を減じる少なくとも１つの切欠きを有する、湿式クラッチが公知である。
【発明の概要】
【発明が解決しようとする課題】
【０００３】
本発明の課題は、摩擦クラッチであって、少なくとも１つのクラッチ部品を備え、クラッチ部品は、摩擦面を有する少なくとも１つの摩擦フェーシングを有しており、摩擦面は、摩擦クラッチの閉鎖時、相手側クラッチ部品に摩擦結合され、摩擦フェーシングおよび／または摩擦フェーシングの支持体要素は、周方向で波形に波の谷と波の山とを有して構成されており、摩擦フェーシングは、摩擦クラッチの開放時、摩擦面全体ではなく、波の山の高点の領域で略点状にのみ、相手側クラッチ部品と接触する、摩擦クラッチを、特に摩擦クラッチの運転中の引きずりモーメントに関して改善することである。
【課題を解決するための手段】
【０００４】
上記課題は、摩擦クラッチであって、少なくとも１つのクラッチ部品を備え、クラッチ部品は、摩擦面を有する少なくとも１つの摩擦フェーシングを有しており、摩擦面は、摩擦クラッチの閉鎖時、相手側クラッチ部品に摩擦結合され、摩擦フェーシングおよび／または摩擦フェーシングの支持体要素は、周方向で波形に波の谷と波の山とを有して構成されており、摩擦フェーシングは、摩擦クラッチの開放時、摩擦面全体ではなく、波の山の高点の領域で略点状にのみ、相手側クラッチ部品と接触する、摩擦クラッチにおいて、摩擦フェーシングが、波の山の高点の領域に局所的に、波の山の高点の周囲の摩擦面と比較して減じられた摩擦係数（Reibwert）を有することによって解決される。摩擦フェーシングを有するクラッチ部品は、摩擦部品ともいう。摩擦部品は、好ましくは、多板クラッチとして構成される摩擦クラッチの摩擦ディスクである。支持体要素は、好ましくは、支持体金属薄板である。摩擦ディスク、あるいは摩擦ディスクの支持体金属薄板は、軽微に波打っている。相手側クラッチ部品は、例えば鋼製ディスクである。波の山の高点の領域における減じられた摩擦係数により、摩擦フェーシングは、隣接する鋼製ディスクとの接触点において最適化される。摩擦ディスクにおける接触点は、常に波打ちの高点である。なぜなら、摩擦フェーシングは、摩擦クラッチが開放された状態で、高点においてのみ、隣り合う鋼製ディスクに沿って滑動するからである。その点において、まさにこの箇所で、摩擦フェーシングが生じる摩擦ができる限り低くなるように、摩擦フェーシングを最適化することを提案する。通常であれば、圧着力が低いときに既に高いモーメントを伝達することができるように、むしろ高い摩擦係数が要求される。通常のこの支配的な見解に反して、本発明の場合は、少なくとも局所的に高点に、特に低い摩擦係数が設定される。波の山の高点の領域における減じられた摩擦係数は、様々な形で実現することができる。
【０００５】
摩擦クラッチの好ましい一実施例は、摩擦フェーシングが、波の山の高点の領域で外側半径を小さくすることで、波の山の高点の領域における摩擦を減じることを特徴とする。より小さな外側半径によって、波の山の高点の領域における摩擦面を簡単に縮小することができる。
【０００６】
摩擦クラッチの別の好ましい一実施例は、摩擦フェーシングが、波の山の高点の領域で内側半径を大きくすることで、波の山の高点の領域における摩擦を減じることを特徴とする。より大きな内側半径によって、波の山の高点の領域における摩擦面を簡単に縮小することができる。別の一態様によれば、摩擦フェーシングは、波の山の高点の領域に、より小さな外側半径と、より大きな内側半径とを有する。
【０００７】
摩擦クラッチの別の好ましい一実施例は、摩擦フェーシングが、波の山の高点の領域に設けられる溝を多くすることで、波の山の高点の領域における摩擦を減じることを特徴とする。波の山の高点の領域に設けられる溝の数を増すことで、摩擦面を簡単に縮小することができる。
【０００８】
摩擦クラッチの別の好ましい一実施例は、摩擦フェーシングが、波の山の高点の領域に設けられる溝を大きくすることで、波の山の高点の領域における摩擦を減じることを特徴とする。より大きな溝によって、波の山の高点の領域における摩擦面を簡単に縮小することができる。別の一態様によれば、摩擦フェーシングは、波の山の高点の領域に、より大きな溝をより多く有している。
【０００９】
摩擦クラッチの別の好ましい一実施例は、摩擦フェーシングが、波の山の高点の領域にそれぞれ少なくとも１つのくびれ部を有することで、波の山の高点の領域における摩擦を減じることを特徴とする。くびれ部により、大径の外側半径／小径の内側半径を有する領域から、波の山の高点の領域における、小径の外側半径／大径の内側半径を有する領域への滑らかな移行が提供される。
【００１０】
摩擦クラッチの別の好ましい一実施例は、摩擦フェーシングが、複数の摩擦フェーシング片から形成されており、波の山の高点の領域に配置される摩擦フェーシング片を少なくすることで、波の山の高点の領域における摩擦を減じることを特徴とする。これにより、波の山の高点の領域における摩擦面を簡単に縮小することができる。
【００１１】
摩擦クラッチの別の好ましい一実施例は、摩擦フェーシングが、複数の摩擦フェーシング片から形成されており、波の山の高点の領域に配置される摩擦フェーシング片を小さくすることで、波の山の高点の領域における摩擦を減じることを特徴とする。より小さな摩擦フェーシング片によって、波の山の高点の領域における摩擦面を簡単に縮小することができる。
【００１２】
摩擦クラッチの別の好ましい一実施例は、摩擦面が、略円環ディスクの形状を呈し、摩擦フェーシング、または摩擦面を形成する摩擦フェーシング片が、波打った支持体金属薄板に取り付けられていることを特徴とする。波打った支持体金属薄板により、簡単にばねプリロードが実現され、ばねプリロードによりクラッチは、開放されるか、あるいは開放状態に維持される。摩擦フェーシングの構成次第で、円環ディスク形の摩擦面は、連続的であるか、または大なり小なり分割されている。摩擦フェーシングあるいは摩擦フェーシング片の、支持体金属薄板への取り付けは、好ましくは素材結合式に、例えば接着により、かつ／またはリベット結合要素により実施される。
【００１３】
本発明はさらに、上述の摩擦クラッチ用のクラッチ部品、摩擦フェーシングおよび／または摩擦フェーシング片に関する。上述の部品は、独立して特許請求可能である。
【００１４】
本発明のさらなる利点、特徴および詳細は、以下の説明から看取可能である。以下、図面を参照しながらそれぞれ異なる実施例について詳細に説明する。
【図面の簡単な説明】
【００１５】
【図１】クラッチ部品の一部を、複数の摩擦フェーシング片から形成されている摩擦フェーシングの平面図として示す図である。
【図２】図１に示したクラッチ部品を上方から見た図である。
【図３】１ピースに形成されており、くびれ部を有する摩擦フェーシングを有する、図１に示したものと類似のクラッチ部品を示す図である。
【発明を実施するための形態】
【００１６】
図１および２は、摩擦フェーシング３を有するクラッチ部品１をそれぞれ異なる見方で示している。摩擦フェーシング３は、少なくとも素材結合式に、例えば接着により、支持体要素６に取り付けられている。支持体要素６は、好ましくは支持体金属薄板として構成されており、円環ディスク７の形状を呈している。
【００１７】
支持体要素６は、半径方向内側に内歯列８を有し、内歯列８は、クラッチ、特に多板クラッチのディスクキャリアとの相対回動不能な結合を実現するために用いられる。支持体要素６に設けられた摩擦フェーシング３は、摩擦面１０を形成するために用いられる。
【００１８】
摩擦面１０は、摩擦クラッチ、特に多板クラッチ内で鋼製ディスクと接触する。摩擦クラッチの閉鎖時、複数の摩擦面１０が鋼製ディスクに摩擦結合され、これによりトルクを伝達することができる。
【００１９】
図２に看取可能であるように、支持体要素６には、両面に複数の摩擦フェーシング片１１，１２，１３；２１，２２，２３が取り付けられている。支持体要素６は、クラッチ部品１のばねプリロードを実現すべく、波打つように構成されている。支持体要素６の波打ちにより、波の山１８，１９が生じ、波の山１８，１９間には、それぞれ１つの波の谷２０が配置されている。
【００２０】
波の谷２０は、図２で下から見れば、同じく波の山を形成している。それゆえ波の山１８，１９および波の谷２０の極値は、いずれも高点１５，１６，１７と称する。高点１７自体は低点であることは、ここでは甘受する。
【００２１】
円環ディスク７を有する支持体要素６は、摩擦クラッチの運転中、一回転軸線回りに回転可能である。軸方向なる概念は、摩擦フェーシング３を有する支持体要素６のこの回転軸線に関する。軸方向とは、回転軸線方向または回転軸線に対して平行な方向を意味する。同じく半径方向とは、回転軸線に対して横方向を意味する。
【００２２】
波の山１８，１９と波の谷２０とを有する支持体要素６の波打ちにより、摩擦フェーシング片１１〜１３，２１〜２３を有するクラッチ部品１は、軸方向で弾性圧縮可能である。
【００２３】
摩擦クラッチ、特に多板クラッチとして構成されるクラッチは、好ましくは湿式のクラッチである。湿式とは、個々のクラッチ部品１と相手側クラッチ部品とが、クラッチの運転中、潤滑媒体および／または冷却媒体、例えばオイルと接触することを意味する。
【００２４】
クラッチが開放されているとき、オイルの粘性摩擦の結果として、クラッチ部品１と相手側クラッチ部品、特に鋼製ディスクとの間に引きずりモーメントが発生する。特に低温時は、オイルの粘性が特に大きいため、引きずりモーメントは、同様に極めて高い。この引きずりモーメントは、摩擦フェーシング３の有利な構成、特に周方向での摩擦フェーシング片１２，２１，２３のアライメントにより大幅に低減することができる。
【００２５】
クラッチ部品１は、支持体要素６の波打ちの高点１５，１６，１７においてクラッチ部品１の運転中に発生する摩擦ができる限り低くなるように、高点１５，１６，１７において最適化される。この目的のために、図１および２に示したクラッチ部品１では、高点１５〜１７の領域に、明らかに小さい摩擦フェーシング片１７，２１，２３が配置されている。摩擦フェーシング片１１，１３，２２は、摩擦フェーシング片１７，２１，２３と比較して明らかに大きく構成されている。
【００２６】
図３は、１ピースの摩擦フェーシング３３を有するクラッチ部品３１を示している。１ピースの摩擦フェーシング３３には、高点あるいは低点１７の領域にくびれ部３５が設けられている。くびれ部３５により、摩擦面４０は、高点１７の領域で簡単に縮小される。摩擦フェーシング３３の摩擦面４０は、くびれ部３５外において、くびれ部３５の領域におけるより大きな外側直径および小さな内側直径を有している。
【符号の説明】
【００２７】
１  クラッチ部品
３  摩擦フェーシング
６  支持体要素
７  円環ディスク
８  内歯列
１０  摩擦面
１１  摩擦フェーシング片
１２  摩擦フェーシング片
１３  摩擦フェーシング片
１５  高点
１６  高点
１７  高点
１８  波の山
１９  波の山
２０  波の谷
２１  摩擦フェーシング片
２２  摩擦フェーシング片
２３  摩擦フェーシング片
３１  クラッチ部品
３３  摩擦フェーシング
３５  くびれ部
４０  摩擦面
【図１】
2018536813.tif 000003
【図２】
2018536813.tif 000004
【図３】
2018536813.tif 000005
【国際調査報告】
2018536813.tif 000006
2018536813.tif 000007
2018536813.tif 000008
2018536813.tif 000009